【手続補正書】
【提出日】平成16年4月8日(2004.4.8)
【手続補正１】
【補正対象書類名】特許請求の範囲
【補正対象項目名】全文
【補正方法】変更
【補正の内容】
【特許請求の範囲】
【請求項１】
溶融加工可能なポリマー、および、
500ppm未満の量で存在する発泡セル成核剤とフッ素含有ポリマーとを含む加工助剤、
を含むポリマー組成物。
【請求項２】
前記発泡セル成核剤がBNを含む、請求項1に記載の組成物。
【請求項３】
前記BNが六方晶BNを含む、請求項2に記載の組成物。
【請求項４】
前記六方晶BNが残留B2O3を含有する、請求項3に記載の組成物。
【請求項５】
前記六方晶BNが層間剥離型BNを含む、請求項4に記載の組成物。
【請求項６】
前記BNが0.5重量％以上の量のB2O3を含有する、請求項5に記載の組成物。
【請求項７】
前記フッ素含有ポリマーが1000ppm以下の量で存在する、請求項1に記載の組成物。
【請求項８】
前記フッ素含有ポリマーが800ppm以下の量で存在する、請求項7に記載の組成物。
【請求項９】
前記組成物が押出製品の形態である、請求項1に記載の組成物。
【請求項１０】
溶融加工可能なポリマーと、フッ素含有ポリマーおよび発泡セル成核剤を含む加工助剤とを含み、前記加工助剤が発泡セル成核剤に比べてフッ素含有ポリマー含量の割合が高いポリマー組成物。
【請求項１１】
前記加工助剤が1.5 : 1を超える、フッ素含有ポリマー／発泡セル成核剤の割合を有する、請求項10に記載の組成物。
【請求項１２】
前記割合が最低でも2 : 1である、請求項11に記載の組成物。
【請求項１３】
前記割合が最低でも2.5 : 1である、請求項11に記載の組成物。
【請求項１４】
前記割合が最低でも3 : 1である、請求項11に記載の組成物。
【請求項１５】
前記割合が最低でも3.5 : 1である、請求項11に記載の組成物。
【請求項１６】
ポリマー組成物中の前記加工助剤の合計含量が約1300ppm未満である、請求項10に記載の組成物。
【請求項１７】
ポリマー組成物中の前記加工助剤の合計含量が約1000ppm未満である、請求項10に記載の組成物。
【請求項１８】
ポリマー組成物中の前記加工助剤の合計含量が約800ppm未満である、請求項10に記載の組成物。
【請求項１９】
ポリマー組成物中の前記加工助剤の合計含量が約500ppm未満である、請求項10に記載の組成物。
【請求項２０】
前記フッ素含有ポリマーがフルオロポリマーである、請求項10に記載の組成物。
【請求項２１】
前記フルオロポリマーがフルオロエラストマーである、請求項20に記載の組成物。
【請求項２２】
前記フッ素含有ポリマーがポリマー組成物中に800ppm未満の量で存在する、請求項10に記載の組成物。
【請求項２３】
前記発泡セル成核剤がBNを含む、請求項10に記載の組成物。
【請求項２４】
前記BNが六方晶BNから構成される、請求項10に記載の組成物。
【請求項２５】
前記六方晶BNが層間剥離型BNを含む、請求項24に記載の組成物。
【請求項２６】
前記六方晶BNが約0.5重量%以上のB2O3含量を有する、請求項24に記載の組成物。
【請求項２７】
前記ポリマー組成物が500ppm未満のBNを含有する、請求項23に記載の組成物。
【請求項２８】
前記BNが200ppm未満の量で存在する、請求項27に記載の組成物。
【請求項２９】
前記BNが100ppm未満の量で存在する、請求項27に記載の組成物。
【請求項３０】
前記溶融加工可能なポリマーが、熱可塑性ポリマー、熱可塑性コポリマー、およびそれらのブレンドからなる群から選択される材料を含む、請求項10に記載の組成物。
【請求項３１】
前記溶融加工可能なポリマーがポリオレフィンである、請求項30に記載の組成物。
【請求項３２】
前記溶融加工可能なポリマーが線状ポリオレフィンを含有するエラストマーブレンドを含む、請求項31に記載の組成物。
【請求項３３】
前記溶融加工可能なポリマーが線状ポリエチレンを含む、請求項31に記載の組成物。
【請求項３４】
前記溶融加工可能なポリマーが線状低密度ポリエチレンを含む、請求項33に記載の組成物。
【請求項３５】
前記溶融加工可能なポリマーがポリプロピレンを含む、請求項31に記載の組成物。
【請求項３６】
前記組成物が押出製品の形態である、請求項10に記載の組成物。
【請求項３７】
前記組成物がマスターバッチの形態である、請求項10に記載の組成物。
【請求項３８】
前記マスターバッチが約20重量％以下の加工助剤を含有し、残りが実質上溶融加工可能なポリマーである、請求項37に記載の組成物。
【請求項３９】
前記マスターバッチが約10重量％以下の加工助剤を含有する、請求項38に記載の組成物。
【請求項４０】
前記マスターバッチが約5重量％以下の加工助剤を含有する、請求項38に記載の組成物。
【請求項４１】
前記マスターバッチが、バルクの溶融加工可能なポリマーに加えられるマスターバッチペレットを含む、請求項37に記載の組成物。
【請求項４２】
マスターバッチをバルクの溶融加工可能なポリマーと混ぜ合わせて原料ポリマーを形成するステップであって、前記マスターバッチが加工助剤および溶融加工可能なポリマーを含有し、前記加工助剤がフッ素含有ポリマーおよび発泡セル成核剤を含み、発泡セル成核剤に対するフッ素含有ポリマーの割合が1 : 1を超え、かつ前記加工助剤が約20重量％以下の量でマスターバッチ中に含有される、ステップと、
この溶融加工可能なポリマーと混ぜ合わせたマスターバッチを加工するステップとを含む、ポリマーの加工方法。
【請求項４３】
前記マスターバッチと前記バルクの溶融加工可能なポリマーを1 : 5〜1 : 1000の割合で混ぜ合わせる、請求項42に記載の方法。
【請求項４４】
前記マスターバッチと前記バルクの溶融加工可能なポリマーを1: 10〜1 : 500の割合で混ぜ合わせる、請求項42に記載の方法。
【請求項４５】
前記マスターバッチと前記バルクの溶融加工可能なポリマーを1: 10〜1 : 200の割合で混ぜ合わせる、請求項42に記載の方法。
【請求項４６】
粉末状のフッ素含有ポリマーおよび発泡セル成核剤を混合して粉末混合物を形成するステップと、
この粉末混合物を押出してマスターバッチペレットを形成するステップと、
このマスターバッチペレットをバルクの溶融加工可能なポリマーと混ぜ合わせるステップとを含む、ポリマーの加工方法。
【請求項４７】
さらに前記混合のステップが、発泡セル成核剤およびフッ素含有ポリマーを溶融加工可能なポリマーと混合するステップを含み、それによってマスターバッチペレットが発泡セル成核剤、フッ素含有ポリマー、および溶融加工可能なポリマーを含有する、請求項46に記載の方法。
【請求項４８】
前記マスターバッチペレットと混ぜ合わせた前記溶融加工可能なポリマーを加工するステップをさらに含む、請求項46に記載の方法。
【請求項４９】
前記溶融加工可能なポリマーをペレットの形態で前記マスターバッチペレットと混ぜ合わせる、請求項48に記載の方法。
【請求項５０】
前記マスターバッチと前記バルクの溶融加工可能なポリマーを1 : 5〜1 : 1000の割合で混ぜ合わせる、請求項46に記載の方法。
【請求項５１】
前記マスターバッチと前記バルクの溶融加工可能なポリマーを1 : 10〜1 : 500の割合で混ぜ合わせる、請求項46に記載の方法。
【請求項５２】
前記マスターバッチと前記バルクの溶融加工可能なポリマーを1 : 10〜1 : 200の割合で混ぜ合わせる、請求項46に記載の方法。
【請求項５３】
加工を押出によって行う、請求項46に記載の方法。